(57)【要約】      （修正有）【課題】使用寿命が長く、且つ収納する平板体を充分に保護できる平板体用収納装置を提供する。【解決手段】左右両立柱を有する枠体３を前後の方向に沿って複数並列するように固定し、且つ、各枠体における両立柱の間に複数のケーブル手段５を、他の枠体のケーブル手段と高さで対応するように掛け渡してなる平板体用収納装置において、前記ケーブル手段は、いずれも前後互いに平行するように並んでいる複数のケーブル５１と、前記複数のケーブルによって保持されている少なくとも１つの支持プレート５２と、各前記支持プレートからそれぞれ突起し、収納予定の平板体を下から支持する支持柱５３とを備えることを特徴とする。【選択図】図１
0003157060.tif 000002
【実用新案登録請求の範囲】
【請求項１】
一対の立柱を有する複数の枠体が、第一の方向に沿って複数並列するように固定され、各枠体における前記一対の立柱の間に、複数のケーブル手段が、それぞれ他の枠体の各ケーブル手段と同じ高さで対応するように掛け渡されてなる平板体用収納装置であって、前記各ケーブル手段は、いずれも第一の方向に並設された平行な複数のケーブルと、前記平行な複数のケーブルに保持された少なくとも１つの支持プレートと、前記支持プレートから上方へ突起して配された支持柱と、を備える
ことを特徴とする平板体用収納装置。
【請求項２】
前記ケーブル手段は、いずれも一対のケーブルと、当該一対のケーブル上に配された所定数の支持プレートとを有している
ことを特徴とする請求項１に記載の平板体用収納装置。
【請求項３】
上記平板体用収納装置において、各枠体で同じ高さに設けられたケーブル手段における前記所定数の支持プレートが、第一の方向に前記所定数の列をなすように並設され、第一の方向で隣接する支持プレート同士がコネクタープレートを介して互いに連結されている
ことを特徴とする請求項２に記載の平板体用収納装置。
【請求項４】
上記平板体用収納装置において、各枠体で異なる高さに配置されたケーブル手段における前記所定数の各支持プレートは、互いに上下方向に同じ位置に対応して配置されており、前記複数の枠体の中で最も後面側に位置する枠体には、当該枠体の前記一対の立柱と平行に延伸された支持材が前記所定数にわたり配設され、前記各支持材は、それぞれ前記上下方向に同じ位置に対応して配置された各支持プレートと、振動吸収シート及び支持材連結手段を介して連結されている
ことを特徴とする請求項３に記載の平板体用収納装置。
【請求項５】
上記平板体用収納装置において、第一の方向に沿った前記コネクタープレートの両端部には、第一の方向に延伸された長孔が設けられ、当該長孔を通じて固定ネジを配設することで、前記支持プレートと前記コネクタープレートの連結が図られている
ことを特徴とする請求項３に記載の平板体用収納装置。
【請求項６】
前記ケーブルの両端部には、前記一対をなす立柱の各々に対して貫通されたボルト部を有し、前記貫通された各ボルト部に調整用のナットが取り付けられている
ことを特徴とする請求項１の平板体用収納装置。
【請求項７】
前記調整用のナットと前記立柱の間には、前記調整用のナットと前記立柱に当接して付勢力を与えるばね手段が介在している
ことを特徴とする請求項６の平板体用収納装置。
【請求項８】
上記平板体用収納装置において、前記支持プレートには、第一の方向に沿った両端部に、前記一対のケーブルの各々が入り込むことが出来る案内溝が形成され、更に、前記案内溝に入り込んだ各ケーブルを対応する案内溝から外れないように制限する制限ネジが取り付けられている
ことを特徴とする請求項２に記載の平板体用収納装置。
【請求項９】
前記支持プレートには、前記一対のケーブルがそれぞれ通過することが出来る一対の貫通孔が形成されている
ことを特徴とする請求項２の平板体用収納装置。
【考案の詳細な説明】
【技術分野】
【０００１】
本考案は平板体用収納装置に関し、特に、使用寿命が長く、且つ収納する平板体を充分に保護できる平板体用収納装置に関する。
【背景技術】
【０００２】
図１３は従来の平板体用収納装置の一構成例を示す斜視図である。当図に図示される従来の平板体用収納装置は、複数の枠体１２が所定間隔をおいて並設された状態で、連結板１１により連結された構成を有する。各々の枠体１２は、それぞれ垂直に立てられた一対の立柱１１１、１１２の間に、複数のケーブル１２１が平行に掛け渡されて構成されている。
【０００３】
図１４は、１の枠体１２において、一対の立柱１１１、１１２の間に掛け渡されたケーブル１２１周辺の構成を示す断面図である。当図の取付構造に示すように、各々のケーブル１２１は、金属材により形成されたワイヤー１２２の外表面が鞘層１２３で包まれた構成を有している。
このように構成された平板体用収納装置では、収納しようとする平板体を各枠体１２で同じ高さに配されたケーブル１２１に渡って収納することができるが、平板体の重量がワイヤー１２２の許容範囲を越えると、ケーブル１２１が変形して使えなくなったり、上方に収納されている平板体の重量がその下方に収納されている平板体に圧し掛かって損壊を与える等の恐れがある。
【０００４】
この問題に鑑みて、例えば図１５、図１６に示されている構成を有する平板体用収納装置１３が提案されている。図１５は要部斜視図であり、図１６は要部断面図である。各図中では平板体用収納装置１３の全貌が示されていないが、平板体用収納装置１３は図１３に示された平板体用収納装置１２と類似する構成を有しており、一対の立柱１１１、１１２の間には、複数のケーブルの替わりに、剛性の強いカーボンファイバー材からなる複数の支持台１２５が掛け渡されている。各支持台１２５はそれぞれ上方へ突起する複数の支持柱１２６を有し、収納しようとする平板体を、各枠体１２で同じ高さに配された支持台１２５の支持柱１２６において支持しながら収納することができる。
【０００５】
このように構成された平板体用収納装置１３は、剛性の強いカーボンファイバー材からなる支持台１２５を使用することによって、ケーブルの変形により引き起こされる問題を解決することができるものの、新たな問題点が発見された。支持台１２５は剛性が強いため、搬送中に生じる振動が支持台１２５を経由して収納している平板体に伝わりやすく、前記ケーブル手段のような振動を減衰させる構成も有しない。このため、騒音が激しく、そして振動による平板体の損壊も頻発する。
【先行技術文献】
【特許文献】
【０００６】
【特許文献１】実用新案登録第３１４８３８４号公報
【考案の概要】
【考案が解決しようとする課題】
【０００７】
本考案は上記問題点に鑑みてなされたものであって、使用寿命が長く、且つ収納する平板体を充分に保護できる平板体用収納装置の提供を目的とする。
【課題を解決するための手段】
【０００８】
上記目的に達成すべく、本考案は、一対の立柱を有する複数の枠体が、第一の方向に沿って複数並列するように固定され、各枠体における前記一対の立柱の間に、複数のケーブル手段が、それぞれ他の枠体の各ケーブル手段と同じ高さで対応するように掛け渡されてなる平板体用収納装置であって、前記各ケーブル手段は、いずれも第一の方向に並設された平行な複数のケーブルと、前記平行な複数のケーブルに保持された少なくとも１つの支持プレートと、前記支持プレートから上方へ突起して配された支持柱と、を備えることを特徴とする平板体用収納装置を提供するものである。
【０００９】
ここで、上記平板体用収納装置では、前記ケーブル手段が、一対のケーブルと、当該一対のケーブル上に配された所定数の前記支持プレートを有する構成とすることもできる。
この場合、上記平板体用収納装置において、各枠体で同じ高さに設けられたケーブル手段における前記所定数の支持プレートが、第一の方向に前記所定数の列をなすように並設され、第一の方向で隣接する支持プレート同士がコネクタープレートを介して互いに連結されている構成とすることもできる。
【００１０】
また、上記平板体用収納装置において、各枠体で異なる高さに配置されたケーブル手段における前記所定数の各支持プレートは、互いに上下方向に同じ位置に対応して配置されており、前記複数の枠体の中で最も後面側に位置する枠体には、当該枠体の前記一対の立柱と平行に延伸された支持材が前記所定数にわたり配設され、前記各支持材は、それぞれ前記上下方向に同じ位置に対応して配置された各支持プレートと、振動吸収シート及び支持材連結手段を介して連結されている構成とすることもできる。
【００１１】
また、上記平板体用収納装置において、第一の方向に沿った前記コネクタープレートの両端部には、第一の方向に延伸された長孔が設けられ、当該長孔を通じて固定ネジを配設することで、前記支持プレートと前記コネクタープレートの連結が図られる構成とすることが好ましい。
また、前記ケーブルの両端部には、前記一対をなす立柱の各々に対して貫通されたボルト部を有し、前記貫通された各ボルト部に調整用のナットが取り付けられた構成とすることが好ましい。
【００１２】
上記平板体用収納装置において、前記調整用のナットと前記立柱の間には、前記調整用のナットと前記立柱に当接して付勢力を与えるばね手段が介在していることが好ましい。
上記平板体用収納装置において、前記支持プレートには、第一の方向に沿った両端部に、前記一対のケーブルの各々が入り込むことが出来る案内溝が形成され、更に、前記案内溝に入り込んだ各ケーブルを対応する案内溝から外れないように制限する制限ネジが取り付けられている構成とすることもできる。
【００１３】
更に、前記支持プレートには、前記一対のケーブルがそれぞれ通過することが出来る一対の貫通孔を形成することもできる。
【考案の効果】
【００１４】
上記構成により、本考案の平板体用収納装置は、ケーブルが有する弾性により搬送中に生じる振動を減衰させると共に、支持プレートが有する剛性でケーブルの変形を防ぎながら平板体を支持することができるので、従来より使用寿命が長く、且つ収納する平板体を充分に保護することができる。
【図面の簡単な説明】
【００１５】
【図１】本考案の第１の実施の形態の平板体用収納装置を示す上面図である。
【図２】本考案の第１の実施の形態における平板体用収納装置の枠体の一部構成を示す要部斜視図である。
【図３】図１におけるＩＩＩ−ＩＩＩ線に沿って切った断面図である。
【図４】本考案の平板体用収納装置における支持プレートの別の構成例の断面図である。
【図５】図１におけるＶ−Ｖ線に沿って切った断面図である。
【図６】本考案の平板体用収納装置におけるケーブルと立柱の取付構造の変形例を示す断面図である。
【図７】本考案の第２の実施の形態の平板体用収納装置を示す上面図である。
【図８】本考案の第２の実施の形態における平板体用収納装置の枠体の一部構成を示す要部斜視図である。
【図９】本考案の第３の実施の形態の平板体用収納装置を示す上面図である。
【図１０】本考案の第３の実施の形態における平板体用収納装置の枠体の一部構成を示す要部斜視図である。
【図１１】本考案の第４の実施の形態の平板体用収納装置を示す上面図である。
【図１２】本考案の第４の実施の形態における平板体用収納装置の枠体の一部構成を示す要部斜視図である。
【図１３】従来の平板体用収納装置の構成例を示す斜視図である。
【図１４】同従来の平板体用収納装置の枠体に配された一対の立柱とケーブルの取付構造を示す断面図である。
【図１５】別の従来の平板体用収納装置の構成例を示す要部斜視図である。
【図１６】同従来の平板体用収納装置の枠体に配された一対の立柱と支持台の取付構造を示す要部断面図である。
【考案を実施するための形態】
【００１６】
以下は図面を参照しながら、本考案の各実施の形態について説明する。
【実施例１】
【００１７】
図１は、実施の形態１に係る平板体用収納装置の上面図である。当図に示す平板体用収納装置は、第一の方向（前後方向）に沿って並列された複数の枠体３が、第二の方向（左右方向）に配された連結プレート５０により連結されて組み合わされたものである。
また、図２は上記平板体用収納装置における１の枠体３の一部構成を示す要部斜視図である。図１及び図２に示されるように、各枠体３は、それぞれ第二の方向に配置された一対の立柱４、４の間に、複数のケーブル手段５が水平に掛け渡されて構成されている。各ケーブル手段５は、枠体３中において互いに異なる高さ（第１、第２、第３、・・・の各高さ）に配置される。これらのケーブル手段５が配置される第１、第２、第３、・・・の各高さは、各枠体３で共通するように設定され、各高さに対応して収納される平板体の主面が水平になるように図られている。
【００１８】
各ケーブル手段５は、第一の方向に並設された、平行な一対のケーブル５１と、当該一対のケーブル５１に保持された所定数の支持プレート５２を有する。支持プレート５２の上には、収納予定の平板体２００を下から支持するための支持柱５３が備えられている。
ちなみに、図１では各ケーブル手段５の長手方向（第二方向）両端寄りに、１つずつ支持プレート５２が配置された構成を図示している（この場合、前記「所定数」とは２個を指す）が、必要に応じて更に支持プレート５２を増設することもできるし、減らすことも可能である。
【００１９】
図３は、図１におけるＩＩＩ−ＩＩＩ線に沿った断面図であり、ケーブル５１、支持プレート５２、そして支持柱５３の構成と配置関係を示す。当図では紙面に垂直な方向が第一の方向に相当する。図中、破線で示した部分が平板体２００に相当する。
図１、図３を合わせて参照すると、各支持プレート５２の第一方向両端部（図３では紙面左右両端部に相当）には、一対のケーブル５１の各々が入り込むことが出来る案内溝５２１が形成されている。また、各案内溝５２１に入り込んだケーブル５１が脱落しないように制限するため、各案内溝５２１より外側に制限ネジ５４が対応して取り付けられている。支持柱５３は、支持プレート５２を背面（紙面下方）から貫通して支持柱本体５３１にねじ込まれた固定ボルト５３２によって固定されている。また、支持柱５３の先端には、収納予定の平板体２００を傷付けない材料で形成されたキャップ体５３３が取り付けられている。ちなみに、ケーブル５１はプラスチック材により包まれる金属ワイヤーを使用してもよく、支持プレート５２はプラスチック材または金属材料を使用して形成してもよい。
【００２０】
次の図４は支持プレートの別の構成例を示す断面図である。当該構成例では、支持プレート５２Ａに案内溝を形成しておらず、替わりに一対のケーブル５１がそれぞれ通過することが出来る一対の貫通孔５２２（紙面に垂直な方向を長手方向とする。）を形成している。本考案では、このような方法で一対のケーブル５１に支持プレート５２Ａを保持させてもよい。
【００２１】
図５は図１におけるＶ−Ｖ線に沿って切った断面図であり、ケーブル５１と一対の立柱４、４との配置関係が示されている。当図に示されるように、ケーブル５１の両端部には、それぞれボルト７１が形成されるともに、各ボルト７１のボルト部に調整用のナット７２が螺合されている。該ボルト７１は立柱４の一面側から他面側まで貫通しており、調整用のナット７２はボルト７１の雄ネジに対応した雌ネジを有している。これにより、ナット７２とボルト７１との相対位置を調節することによって、一対の立柱４、４の間に掛け渡されているケーブル５１の張力を調整することができる。
【００２２】
続に図６は、本考案の別の変形例として、一対の立柱４、４とケーブル５１の取付構造を示す、上方から見下ろした断面図である。この変形例では、ケーブル５１の両端部にそれぞれボルト７１Ａが形成され、各立柱４、４に各ボルト７１Ａのボルト部７１１が貫通されている。貫通したボルト部７１１にはナット７２が螺合され、さらに各ボルト７１Ａの先端にはボルト部７１１より太い径のヘッド部７１２が形成されている。前記ナット７２はこのヘッド部７１２に近接して配される。ここで、ナット７２と立柱４との間におけるボルト７１Ａには、ばね手段７３が挿通されている。
【００２３】
ばね手段７３は圧縮コイルばねであって、調整用のナット７２と立柱４に当接してケーブル５１に付勢力を与えるように配置されたものである。
よってこの変形例では、調整用のナット７２で２つの立柱４の間に掛け渡されているケーブル５１の張力を調整することができると共に、ばね手段７３で前記張力にある程度の余裕を持たせることができる。
【００２４】
この構成を有する本考案の平板体用収納装置は、まず、可撓性のあるケーブル５１で、収納する平板体の重量を支持することで、例えば搬送する時に生じやすい平板体の振動を減衰、または吸収することが出来る。これと共に、平板体を傷付けない材料で形成されたキャップ体５３３の先端で平板体を支持することによって、搬送時には平板体との接触面積を減らすことができ、騒音を無くすことができるほか、振動で平板体を傷つけることもない。
【００２５】
また、本考案の平板体用収納装置ではケーブル５１の張力を調整できる構成であるため、ケーブル５１に変形が発生し難く、従来に比べて長寿命の使用期間を実現できる。
更に、ケーブル５１及び支持プレート５２の材料として金属材またはプラスチック材を使用するので、従来のカーボンファイバー材を用いる方法よりもコストダウンを図ることが出来る。
【実施例２】
【００２６】
図７、図８は、本考案の第２の実施形態の平板体用収納装置を示す図である。図示されているように、本考案の平板体用収納装置の第２の実施の形態は、第１の実施形態と類似する構成を有しており、以下ではその相違点を中心に説明する。
本考案の平板体用収納装置の第２の実施の形態では、各枠体３の一対の立柱４、４の間に水平に掛け渡されている複数のケーブル手段５において、各ケーブル手段５にそれぞれ大型の支持プレート５２Ｂが１個配設されている。そして、この支持プレート５２Ｂは、ケーブル手段５が有するケーブル５１の長さよりやや短い長さを持つように形成されており、当該支持プレート５２Ｂの上面には複数の支持柱５３が所定間隔毎に取り付けられている。また、図８に示されているように、この支持プレート５２Ｂは、一対のケーブル５１がそれぞれ入り込むことが出来る案内溝５２１と、制限ネジ５４とを有する構成を採用している。
【実施例３】
【００２７】
図９、図１０は、本考案の第３の実施の形態の平板体用収納装置を示す図である。図示されているように、本考案の平板体用収納装置の第３の実施の形態は、第１の実施形態と類似する構成を有しており、以下ではその相違点を中心に説明する。
本考案の平板体用収納装置の第３の実施の形態において、各ケーブル手段５は、いずれも一対のケーブル５１と、所定数（第二方向両端寄りに１つずつ）の支持プレート５２とを有している。
【００２８】
各ケーブル手段５の第二方向両端寄りにそれぞれ設けられた各支持プレート５２は、図９に示すように、第一の方向（紙面上下方向）に沿って、各枠体３で同じ高さに配設されている各支持プレート５２と列（ここでは合計２列）をなすように配列されている。そして、第一の方向で隣接する支持プレート５２同士がコネクタープレート６１で連結されている。
【００２９】
図１０は、図９におけるＸ−Ｘ線に沿って切った断面図であり、支持プレート５２とコネクタープレート６１との取り付け関係が示されている。図中、紙面左右方向が第一の方向に相当し、破線で示した部分が平板体２００に相当する。
図示されているように、各コネクタープレート６１の第一の方向に沿った両端部には、いずれも第一の方向に延伸された長孔６１２が設けられている。長孔６１２には固定ネジ６２が挿通してねじ込まれ、コネクタープレート６１と支持プレート５２が連結した状態で固定されている。
【００３０】
各コネクタープレート６１は、平板体用収納装置において収納されている平板体２００の重量を、当該平板体２００を支持する各ケーブル手段５に均等に配分すると共に、ケーブル５１に配設された各支持プレート５２が個別に揺れを生じるのを制止する。これにより、支持プレート５２に設けられた支持柱５３が平板体２００を安定して支持するのを確保することができる。
【実施例４】
【００３１】
図１１、図１２は、第４の実施の形態の本考案の平板体用収納装置を示す。
図示されているように、本考案の平板体用収納装置の第４の実施の形態は、第３の実施形態と類似する構成を有しており、以下ではその相違点を中心に説明する。
本考案の平板体用収納装置の第４の実施の形態において、各枠体３で異なる高さのケーブル手段５の第二方向両端寄りに設けられた支持プレート５２は、それぞれ上下方向で対応する位置に配置されている。これにより各枠体３を上から見下ろすと、異なる高さの支持プレート５２が重なっている。
【００３２】
また、当該平板体用収納装置において、最後面側に配された枠体３には、２本のサポータ（支持材）６３が一対の立柱４、４と平行に延伸されて配設されている。各サポータ６３はサポータ本体６３１を有し、前記サポータ本体６３１は、振動吸収シート６３２及びサポータコネクタ（支持材連結手段）６３４を順次介し、各ケーブル手段５の左右方向いずれかに配置された各支持プレート５２に対して連結されている。ここでサポータ本体６３１は図１２のように、振動吸収シート６３２及びサポータコネクタ６３４とは複数の固定ネジ６３３で固定されている。
【００３３】
なお図１２では、１つのケーブル手段５の周辺構成しか示していないが、１のサポータ６３は、上下方向で異なる高さの各ケーブル手段５とそれぞれ連結されている。
以上の構成を有する当該平板体用収納装置では、サポータ６３が支持プレート５２及びコネクタープレート６１に連結されているため、各ケーブル手段５に収納された平板体２００の重量を分散させて支持でき、平板体２００同士の接触が効果的に防止できると共に、支持プレート５２及びコネクタープレート６１の安定性を一層強化し、更に平板体２００が平板体用収納装置の後面側から滑り出ることを防止することができる。
【産業上の利用可能性】
【００３４】
上記のように、本考案の平板体用収納装置は、少なくとも搬送時に生じやすい平板体の振動を減衰させること、または吸収すること、ケーブルの変形を防止すること、そしてコストダウンすることなど、数々の利点を有する。従って、従来より使用寿命が長く、且つ収納する平板体により充分な保護を提供することができ、極めて産業上の利用可能性は高いと言える。
【符号の説明】
【００３５】
３    枠体
４    立柱
５    ケーブル手段
５０    連結プレート
５１    ケーブル
５２    支持プレート
５２Ａ    支持プレート
５２Ｂ    支持プレート
５３    支持柱
５４    制限ネジ
６１  コネクタープレート
６２    固定ネジ
６３    サポータ（支持材）
７１    ボルト
７１Ａ    ボルト
７２    調整用のナット
７３    ばね手段
２００    平板体
５２１    案内溝
５２２    貫通孔
５３１    支持柱本体
５３２    固定ボルト
５３３    キャップ体
６１２    長孔
６３１    サポータ本体
６３２    振動吸収シート
６３３    固定ネジ
６３４    サポータコネクタ（支持材連結手段）
７１１    ボルト部
７１２    ヘッド部
【図１】
0003157060.tif 000003
【図２】
0003157060.tif 000004
【図３】
0003157060.tif 000005
【図４】
0003157060.tif 000006
【図５】
0003157060.tif 000007
【図６】
0003157060.tif 000008
【図７】
0003157060.tif 000009
【図８】
0003157060.tif 000010
【図９】
0003157060.tif 000011
【図１０】
0003157060.tif 000012
【図１１】
0003157060.tif 000013
【図１２】
0003157060.tif 000014
【図１３】
0003157060.tif 000015
【図１４】
0003157060.tif 000016
【図１５】
0003157060.tif 000017
【図１６】
0003157060.tif 000018